(57)【要約】【課題】非接触ＩＣカードの券面表示部に、ＩＣチップに内蔵された情報を文字・画像情報として表示する以外に、これら文字情報の背景として書き換え可能な待ち受け用画像を自由に設定・表示する手段の提供を課題とした。【解決手段】ＮＦＣ対応の携帯電話からＮＦＣ対応の非接触ＩＣカード券面表示部に画像を表示する方法であって、携帯電話に券面アプリケーションソフトをインストール工程と、携帯電話の券面アプリケーションソフトを立ち上げる工程と、携帯電話上で券面表示部に表示する画像データを決定する工程と、携帯電話からＮＦＣ機能により非接触ＩＣカードのメモリーに画像データを入力する工程と、ＮＦＣ機能により非接触ＩＣカードの券面表示部に前記画像を表示する工程と、を有することを特徴とする非接触ＩＣカード券面表示部の画像表示方法である。【選択図】図３
2014002452.tif 000002
【特許請求の範囲】
【請求項１】
ＮＦＣ対応の携帯電話からＮＦＣ対応の非接触ＩＣカードの券面表示部に画像を表示する方法であって、
携帯電話に券面アプリケーションソフトをインストールする工程と、
携帯電話の券面アプリケーションソフトを立ち上げる工程と、
携帯電話上で券面表示部に表示する画像データを決定する工程と、
携帯電話からＮＦＣ機能により非接触ＩＣカードのメモリーに画像データを入力する工程と、
非接触ＩＣカードの券面表示部に前記画像を表示する工程と、を有することを特徴とする非接触ＩＣカード券面表示部の画像表示方法。
【請求項２】
前記画像データは、ＷＥＢから画像データを取得するか、携帯電話のメモリーから取得するか、カメラで撮った写真画像から取得するか、のいずれかであることを特徴とする請求項１に記載の非接触ＩＣカード券面表示部の画像表示方法。
【請求項３】
前記画像データは、非接触ＩＣカードメモリ内に保存されることを特徴とする請求項１又は請求項２に記載の非接触ＩＣカード券面表示部の画像表示方法。
【請求項４】
券面表示部が電子ペーパーであることを特徴とする請求項１から請求項３のいずれか１項に記載の非接触ＩＣカード券面表示部の画像表示方法。
【発明の詳細な説明】
【技術分野】
【０００１】
本発明は、非接触ＩＣカードの券面表示部に、既定の項目以外に、所望の背景用画像を簡単に作成・表示する技術に関する。
【背景技術】
【０００２】
非接触ＩＣカードは、基本的には送受信用のアンテナと情報記録用のＩＣチップとを電気的接続をとって紙基材やプラスチック基材中に埋め込んだものであるが、近年その利用が飛躍的に増加している。非接触ＩＣカードは、所定の距離を隔ててかざすだけで情報の授受が行われる利便性から、主に物品購入や交通機関の入出退管理などの用途で広く普及しているが、一層の利便性向上が求められている。
【０００３】
そのような要望の一つにＩＣチップ内に保有する情報をカード券面に備えられた券面表示部に表示することがある（特許文献１）。表示する内容については、残高表示などそれぞれのカードの用途に応じた項目が挙げられるが、所定の項目を無地を背景にして単に羅列表示する以外に、携帯電話の待ち受け画面のように所定の項目を背景画像の中に浮き出して表示したいという要求がある。さらに、その背景画像については、既成のデザインだけでなく自分自身だけのオリジナルな券面用画像を表示したいという要求がある。
【０００４】
このためには、ＩＣカードの所有者が券面表示画像を自由にデザインし設定できることが必要である。こうした技術としては、表示部の所定の位置にデザインシールを貼り付けることで交換できるようにしたＩＣカードがある。しかしながら、画像はシールに印刷されたものであり、自由に設計できるわけでなく、シールの厚みによっては、通勤定期のように接触型で使用する機会があるカードについては、リーダライターを通した時にシールが機械に巻き込まれトラブルの原因となる場合がある。
【０００５】
また、非接触ＩＣカードは、表示部があったしても携帯電話のようにキー入力のような入力手段を備えていないので、ＩＣカード自体にメモリーから画像データを読み出して表示するような機能を付与することはできない。
【０００６】
この点について注目される無線通信技術にＮＦＣ（Ｎｅａｒ  Ｆｉｅｌｄ  Ｃｏｍｍｕｎｉｃａｔｉｏｎ）がある。ＮＦＣは、通信周波数が１３．６５ＭＨｚの周波数帯を使用する通信距離が１０ｃｍ程度に限定される近距離無線通信の国際規格である。その特徴は「かざす」だけで双方向にデータ通信が可能な技術で、通信規格の異なるデバイス間に互換性を持たせることもできる。例えば、ＮＦＣを搭載した携帯電話を、ＮＦＣを搭載したテレビにかざすだけで携帯電話に記録していた写真をテレビ画面に写し出すことができる。また、携帯電話をＮＦＣを搭載したプリンターに近づけるだけで携帯カメラに記録した写真を印刷できる。
【０００７】
このようにＮＦＣが搭載されたデバイス同士は、お互いのデバイスを近づけかざすだけでさまざまなデータのやり取りが行え、さまざまな非接触ＩＣカードやＩＣタグの規格と互換性があり、それらと同等の機能を果たすことができる。すなわち、ＮＦＣが搭載された携帯電話などのデバイスは、リーダライターとして、さまざまな非接触ＩＣカードやＩＣタグの読み書きが可能である。
【０００８】
一方で、ＩＣカード上の券面表示部は、薄く折り曲げに耐えるディスプレイ素子と表示内容を制御するドライバー等で構成されるが、ディスプレイ部は電気的に書き換えが可能で、電力供給がなくても画像表示が継続するようなメモリー性が必要である。低消費電力でメモリー性のあるデバイスとしては、電子ペーパータイプを挙げることができる。
【先行技術文献】
【特許文献】
【０００９】
【特許文献１】特開平１０−１５４２１５号公報
【特許文献２】特開２０１０−２５７１５９号公報
【発明の概要】
【発明が解決しようとする課題】
【００１０】
本発明は、上記ＮＦＣ規格を満たすデバイスの流通状況に鑑み、非接触ＩＣカードの券面表示部に、ＩＣチップに内蔵された情報を文字・画像情報として表示する以外に、これら文字情報の背景として書き換え可能な待ち受け用画像を自由に設定・表示する手段の提供を課題とした。
【課題を解決するための手段】
【００１１】
上記課題を達成するための請求項１に記載の発明は、ＮＦＣ対応の携帯電話からＮＦＣ対応の非接触ＩＣカードの面表示部に画像を表示する方法であって、
携帯電話に券面アプリケーションソフトをインストール工程と、
携帯電話の券面アプリケーションソフトを立ち上げる工程と、
携帯電話上で券面表示部に表示する画像データを決定する工程と、
携帯電話からＮＦＣ機能により非接触ＩＣカードのメモリーに画像データを入力する工程と、
ＮＦＣ機能により非接触ＩＣカードの券面表示部に前記画像を表示する工程と、を有することを特徴とする非接触ＩＣカード券面表示部の画像表示方法としたものである。
【００１２】
請求項２に記載の発明は、前記画像データは、ＷＥＢから画像データを取得するか、携帯電話のメモリーから取得するか、カメラで撮った写真画像から取得するか、のいずれかであることを特徴とする請求項１に記載の非接触ＩＣカード券面表示部の画像表示方法としたものである。
【００１３】
請求項３に記載の発明は、前記画像データは、非接触ＩＣカードメモリ内のＦＦＰＲＯＭのノンセキュア領域に保存されることを特徴とする請求項１又は請求項２に記載の非接触ＩＣカード券面表示部の画像表示方法としたものである。
【００１４】
請求項４に記載の発明は、券面表示部が電子ペーパーであることを特徴とする請求項１から請求項３のいずれか１項に記載の非接触ＩＣカード券面表示部の画像表示方法としたものである。
【発明の効果】
【００１５】
本発明により、非接触ＩＣカードの券面表示部に所望の文字情報や画像情報等を携帯電話を使っていつでも何度でも自由に書き換えて表示できるという効果がある。通常は、券面画像は無地・無模様または同一であるので自分自身のカードがどれであるのか識別できないが、画像が自分で作成した固有のものであれば容易に識別ができる。
【００１６】
券面表示部にデザインシールを貼るのに比べて、電子的に表示画像を書き換えるので表示内容と形式設計の自由度が増し、且つカードの厚みが変化しないので読取装置などに巻き込まれる等トラブルの原因となることがない。特別なリーダライターを必要とせず、ＮＦＣ仕様を満たしさえすれば携帯電話やスマートフォンのみで券面表示部の画像表示が可能となる。
【００１７】
券面表示部に一定程度のフレキシビリティーを有し、且つメモリー性のある電子ペーパーを使用しているので、電力供給がなくとも長時間同じ画像を表示できるという効果がある。
【図面の簡単な説明】
【００１８】
【図１】券面表示部を備える非接触ＩＣカードの一例であって、該カードの外観を説明する正面視の図である。
【図２】電気泳動方式電子ペーパーのマイクロカプセル内の着色微粒子が電場により位置が逆転する様子を模式的に説明する断面視の図である。
【図３】電子ペーパータイプの券面表示体に画像を表示する手順を説明するフローチャートである。
【発明を実施するための形態】
【００１９】
ＮＦＣ規格対応のＩＣチップを搭載しているデバイスや非接触ＩＣカードを互いに１０ｃｍ以内の距離に近づけると、１０６Ｋｂｐｓ〜４２４Ｋｂｐｓの速度で双方向通信が可能になる。データの読み書きはもちろん、かざすだけでテキスト、画像、動画、データなどをやり取りできるようになる。例えばＮＦＣチップを搭載した携帯電話で撮影した画像をＮＦＣチップを搭載したパソコンへ転送する場合、機器同士を近づけることでデータ転送することができる。
【００２０】
非接触ＩＣカードには、様々な通信規格が存在しており、これまでは規格の異なるＩＣカードは、一台のリーダライターで通信することができなかった。しかし、ＮＦＣチップをリーダライター側に搭載することで、互換性を持たせることができる。例えば日本で普及している非接触ＩＣカード「Ｆｅｌｉｃａ」と、世界で広く使われている非接触ＩＣカード「Ｍｉｆａｒａ」（ＩＳＯ１４４４３  ＴｙｐｅＡ）を一台のリーダライターでデータの読み取り、書き込みが可能になるものである。
【００２１】
本発明は、上記の特徴を有するＮＦＣ規格を満たす携帯電話あるいはスマートフォン等を使用して、ＮＦＣチップを内蔵した非接触ＩＣカードの券面表示部の待ち受け画像を、自分の好みの画像を表示できるようにしたシステムである。
図１は、券面表示部２を備えた非接触ＩＣカード１の一例を上面視で示したものである。券面表示部２は、残高等所定の項目が記載される表示域４と画像が表示される画像領域３からなっている。
【００２２】
画像表示領域３の画像は、券面表示部２に背景あるいは待ち受け画像として表示されるが、券面表示部２は電子ペーパーで構成される必要がある。すなわち、一度画像が書き込まれると、書き換えない限り長時間表示され必要がある。電子ペーパーの代表的な表示技術に電気泳動方式があるが、この方式は米E  Ink社が開発したものである。
【００２３】
電気泳動方式は、図２に示すように、流体（オイル）１６を収容したマイクロカプセル１３中に電荷を有する白色微粒子１４と黒色微粒子１５を分散させ、電極１２からの電界によって白色微粒子１４と黒色微粒子１５をカプセル内で移動させることで白と黒の表示を行なうものである。粒子移動型などとも呼ばれるが、中途半端な電圧印加で、白色微粒子１４と黒色微粒子１５が混在すると諧調表示も可能である。類似の技術では、流体（オイル）１６ではなく空中で白色と黒色の粒子を電界によって移動させるブリヂストン社の方式もある。
【００２４】
前者は具体的には、直径が４０μｍ程度の透明なマイクロカプセル１３中に正と負に帯電した白色と黒色の顔料粒子がオイルと共に収められ、カプセルは、バインダー１７により１層のみが、対向する２枚の狭い電極板１２の間に隙間なく並べられる。表示面となる電極の一方の側はＩＴＯのような透明電極で作られ、反対側の電極は必要な表示解像度の大きさの微小な矩形電極で構成される。電極板としては、ＩＴＯ電極１２がパターン形成されたフィルム基材１１が使用される。
【００２５】
外部の制御回路からの電圧印加によって２枚の電極間１２に電界が生じ、正と負に帯電した白色と黒色の顔料粒子１４，１５がオイル中を泳動して、いずれか電圧によって選ばれた色の顔料粒子がカプセルの表示面側に集まることで、白黒の表示を行う。微小な電極によって作られる各画素ごとに白黒の表示が選択される。電圧を切っても顔料粒子は簡単にはオイル中を移動できないため、白黒パターンは長期間保持され、印刷物のように読み取ることが出来る。
【００２６】
液晶タイプ（コレステリック液晶あるいは強誘電性液晶）の電子ペーパー同様に、画像保持の為の電力は全く必要とせず、画像の書き換え時にも少しの消費電力で済む。電気泳動方式では、新聞紙やレーザープリンターによって印刷出力されたコピー紙と比べても遜色ない表示品質が得られている。電子ペーパーと新聞紙、コピー用紙で反射率とコントラスト比を比べると、それぞれ４０％：６５％：８０％、１０対１、７対１、２０対１程度である。カラーフィルターを用いたり、着色微粒子を使用することでカラー化も可能である。
【００２７】
電子ペーパーは、液晶ディスプレイや有機ELほど水蒸気の侵入に対して敏感ではないことや、反射型なので背面は不透明で良い点、元々視野角が広いこと、バックライトが必要無いこと、などの理由により、基材をプラスチックフィルムにすることにより曲げても使えるディスプレイを実現出来ると考えら、いずれＩＣカード等の券面表示用の表示体として使用出来る。この他の電子ペーパーとしては、メモリー性のあるコレステリック配向をあるいは強誘電性液晶を、バックライトが不要な反射方式で使用するタイプがあるが、いずれもフィルム化が難しいのでＩＣカードの券面表示体として使用するには現時点では問題がある。
【００２８】
次に、非接触ＩＣカード１の券面表示部２に画像を表示する概略手順を図３にフローチャートとして示したが、この点について少し詳しく説明する。
【００２９】
先ず、ＮＦＣ対応の携帯電話やスマートフォンに券面アプリケーションソフト及び関連ソフトをインストールする（図３（ａ））。一度インストールしてあれば呼び出して繰り返して使用できる。
【００３０】
券面アプリケーションソフトは、
（１）携帯電話付属のカメラで撮影した写真やＷＥＢから取得した画像データ群から、券面に表示する画像データを選択する機能、
（２）選択した画像データを券面表示部に合うように圧縮や編集を行う機能、
（３）画像データをＩＣカードの所定のメモリーに出力したり消去する機能、
（４）メモリーの画像データを券面表示体上に表示する機能、
等を有するソフトウエアーである。
【００３１】
次に、非接触ＩＣカードに搭載されているＮＦＣ対応のＩＣチップの初期設定について記載する。このＩＣチップのメモリーは、ＣＰＵ、Ｃｏ−ｐｒｏｃｅｓｓｏｒ、ＲＯＭ、ＲＡＭ、ＥＥＰＲＯＭ領域に分かれ、所定のプログラム、データ等が格納されている。
携帯電話に搭載されている券面アプリケーションソフトに対応するＩＤをＡＩＤ××××として保存する領域と、券面に使用可能な複数の画像データを保存する領域をＥＥＰＲＯＭに確保しておく必要がある。
【００３２】
ＥＥＰＲＯＭは、セキュア領域とノンセキュア領域に分割され、通常の非接触ＩＣカードが備える機密情報はセキュア領域に保存しておく必要があるが、前記の画像データはノンセキュア領域でもよい。画像データは、電子ペーパー１が備える表示用ドライバーによりノンセキュア領域から取り込まれて券面表示部２の画像表示域３に表示される。カード情報の中からは、予め決められた項目だけがセキュア領域から取り込まれて所定の文字情報表示域４に表示される。
【００３３】
電子ペーパータイプの券面表示部を備える非接触ＩＣカードの一例を図１に示したが、券面表示部の背景として待ち受け画像が表示され、その中の所定の位置にカード情報、例えば残高表示がされるものである。商品購入するにあたりカードを使用すると背景の画像は変わらないが、金額欄だけが変化する。
【００３４】
次に、前述の初期設定・準備の下で券面表示部２に待ち受け用の画像を表示する手順について説明する(ここではノンセキュア領域に券面表示用の画像を格納した場合を説明する。
（１）携帯電話に券面アプリケーションソフトがインストールされていなければインストールする（図３（ａ））。登録ＩＤをＡＩＤ×××として登録する。
（２）登録してあるＡＩＤ××××をキーとして券面アプリケーションソフトを立ち上げる（図３（ｂ））。
（３）券面表示用の画像パターンを決定する（図３（ｃ））。
画像パターンは、
３−１、ＷＥＢから画像を探す、
３−２、携帯のメモリー画像から探す、
３−３、ＩＣカードに保存してある画像から探す。
（４）選択した画像データが券面表示にマッチするようにデータサイズや傾き色調等を調整する(図３（ｄ））。
（５）書き込み先のノンセキュア領域を指定してから、携帯電話を非接触ＩＣカードにかざす。ＮＦＣ機能により、携帯電話とカード間で通信が開始され、選択した券面表示用画像データがＩＣカードのノンセキュア領域に出力される（図３（ｅ））。
（６）電子ペーパーからなる券面表示部に画像を表示する（図３（ｆ））。
６−１、表示コマンドの送信。
６−２、指定された画像データが、ノンセキュア領域から表示用ドライバーへ移動される。
６−３、電子ペーパー上に画像及び所定の項目が表示される。
【００３５】
上記操作（６）は時間がかかるためにカードと携帯電話の相対的な位置関係に注意する必要がある。勝手に書き換えられるのが困る場合は、認証行為を上記プロセスのいずれかに入れておけばよい。
【００３６】
上記の手順により、携帯電話上に保存された画像データを非接触ＩＣカードの券面表示部に表示できる。
【符号の説明】
【００３７】
１、非接触ＩＣカード
２、券面表示部
３、画像（表示領域）
４、文字情報（残高等）の表示域
１０、電子ペーパー
１１、フィルム基材
１２、電極
１３、マイクロカプセル
１４、白着色微粒子
１５、黒着色微粒子
１６、オイル
１７、バインダー
【図３】
2014002452.tif 000003
【図１】
2014002452.tif 000004
【図２】
2014002452.tif 000005